(57)【要約】【課題】一枚のブランクシートのみから得られ、製造、組み立て、廃棄が容易であり、切り花を包装した状態で外箱ごと横倒しにしても水漏れが生じることなく、従来汎用されている四角柱状の外箱と組み合わせて使用することができる切り花輸送用紙製保水箱を提供すること。【解決手段】複数本の折曲線で区画された一枚の耐水性ブランクシートから組み立て形成される立方体状の箱であって、天面部における開口部の穿設位置を後面部から遠ざかるように変位させるとともに、後側面折込片における左右側面部からの立ち上がり幅Ｗ１と後面部からの立ち上がり幅Ｗ２、そして上部折込片における後側面折込片からの立ち上がり幅Ｗ３のいずれもが、後面部との境界線から開口部最下縁までの距離Ｄと同じかそれ以上の幅広に形成した。【選択図】  図１
2008037435.tif 000002
【特許請求の範囲】
【請求項１】
複数本の折曲線で区画された一枚の耐水性ブランクシートから組み立て形成される箱であって、
四角形状をした底面部と、該底面部の四方に連接し、いずれも四角形状をした前後左右側面部と、後面部よりさらに後方に連接しつつ開口部を備えた天面部と、前記後面部と左右側面部とを連結する後側面折込片と、これら後側面折込片から延設され天面部とも連接する上部折込片とからなり、
前記開口部の穿設位置が後面部から遠ざかるように後方に変位したものであつて、かつ、
後側面折込片における左右側面部からの立ち上がり幅Ｗ１と後面部からの立ち上がり幅Ｗ２、そして上部折込片における後側面折込片からの立ち上がり幅Ｗ３のいずれもが、後面部との境界線から開口部最下縁までの距離Ｄと同じかそれ以上の幅広に形成されてなる切り花輸送用紙製保水箱。
【請求項２】
天面部には、さらに後方に前面被せ片が延設されるとともに左右側面被せ片が横出し延設されてなり、各被せ片内には係止片が切開形成される一方、これら係止片に対応するように、前面部上方と、左右側面部上方においてそれぞれ係止スリットが刻設されてなる請求項１記載の切り花輸送用紙製保水箱。
【請求項３】
左右側面部と後側面折込片間の折曲線を途中から反転させて天面部側を山折りとし、該山折りとした折曲線を介して、左右側面部の上隅部と後側面折込片の上隅部を予め貼着しておくことにより、谷折りとした底面部と後面部間の折曲線によって二つ折り状態で提供されることを特徴とする請求項１又は２いずれかに記載の切り花輸送用紙製保水箱。
【請求項４】
各折曲線部分に防水又は防湿剤を厚塗してなる請求項１ないし３いずれかに記載の切り花輸送用紙製保水箱。
【発明の詳細な説明】
【技術分野】
【０００１】
本発明は、主に生花の生産地から切り花として出荷輸送する際に用いられる包装用の組み立て式箱に関するものであり、より詳しくは、角柱状をした外箱内に収容され、切り花の根元を囲繞保持することにより、輸送・保管時における水漏れを防止し、切り花の鮮度維持に寄与する防水紙製の保水箱に関する。
【背景技術】
【０００２】
切り花の輸送には、一般に、集束した切り花を立てたまま包装できる、四角柱状をした段ボール製の組み立て箱が用いられることが多い。段ボール製の四周壁がそのまま緩衝材となるほか、切り花を立てて輸送することで花の傷みが少ないという利点があるし、根元に吸水紙を巻いてアルミ箔で覆ったり、硬質容器製又は軟質袋状の水入れを箱内底部に保持させることによって切り花への水分補給が図られるよう構成されていた。
【０００３】
例えば、特許文献１では、起函及び底部の組み立てが容易な縦長の直方体形であって、前面の側板及び天面が開閉可能であるとともに、底部には水を入れた袋をはめ込むことのできる中枠を備えた切り花輸送用紙箱が提案されている。この紙箱では、切り花を自立させた状態で且つ水を供給できる状態で包装することができるとともに、組み立てが容易で、安価であるとされている。
【０００４】
ここで、選別や荷さばきなど、流通過程においては切り花を収容した紙箱を横倒し状態としなければならない場合も多いところ、切り花の根元に対して密閉袋を固定して水分補給を図る場合はさほど問題にならないが、紙箱底部に固定した開口容器に根元を挿しただけである場合には、転倒した開口容器内の水が根元との間からこぼれてしまう欠点があった。
【０００５】
そこで、特許文献２では、従来の四角柱状をした外箱の下端部において外箱内面に沿った箱状をした防水製の内袋を取り付け、切り花差込口を狭くして差込口周囲の上面壁を水返し鍔とした水溜め式切花立て輸送容器が提案されている。この輸送容器では、内袋が外箱の折り畳みに応じて畳まれ得るよう一体化して取り付けてあることを特徴としており、ワンタッチで外箱と内袋を同時に組み立てることができて作業性がよく、輸送途中に誤って転倒しても水が溢れ出ないとされている。
【０００６】
また、特許文献３では、必ず外箱の後背面が接地するように予め横倒し可能方向を定めておき、その方向に横倒しになったときには、外箱内にあって切り花の根元を水入り袋ごと挟持している支持部材の壁高さが袋内の水位より高くなるように設定することにより、転倒時の水漏れを防止した切り花輸送用包装箱が提案されている。
【０００７】
【特許文献１】特開平８−２７６９７３号公報（特許請求の範囲、図１）
【特許文献２】特開２００５−２９８０５４号公報（請求項１、請求項２、図６、図７）
【特許文献３】特開２００５−１３２３９９号公報（請求項１、図５）
【特許文献４】特開２００５−９６７８５号公報（請求項１、図８）
【発明の開示】
【発明が解決しようとする課題】
【０００８】
従来のように水を封入した内袋を切り花の根元に密封固定するのは、取り付け作業が煩雑であるし切り花の茎が傷むおそれもある。また、樹脂製ポットなど紙製の外箱と異質な素材を内袋に用いると、廃棄時の分別処理が必要となる煩雑さがある。したがって、前記特許文献２のように、全てが紙製で統一形成されているものが最も望ましいが、内袋を外箱と一体化して取り付ける特殊な箱のために構造が複雑化してコスト高を招来するし、従来汎用されている四角柱状の外箱には適用することができない欠点があった。また、外箱とは独立した保水箱も提案されているが（特許文献４）、複数の部材を組み立てる作業は煩雑であるし、一方の部材が不足すると機能しない欠点もあった。
【０００９】
本発明はこうした事情に鑑みてなされたものであり、その課題とするところは、１枚のブランクシートのみから得られ、製造、組み立て、廃棄が容易であり、切り花を包装した状態で外箱ごと横倒しにしても水漏れが生じることなく、従来汎用されている四角柱状の外箱と組み合わせて使用することができる切り花輸送用紙製保水箱を提供することにある。
【課題を解決するための手段】
【００１０】
前記所期の課題解決を図るべく、本発明に係る切り花輸送用紙製保水箱は、複数本の折曲線で区画された一枚の耐水性ブランクシートから組み立て形成されるものとし、四角形状をした底面部と、該底面部の四方に連接し、いずれも四角形状をした前後左右側面部と、後面部よりさらに後方に連接しつつ開口部を備えた天面部と、前記後面部と左右側面部とを連結する後側面折込片と、これら後側面折込片から延設され天面部とも連接する上部折込片とを各々区画構成したうえで、前記開口部の穿設位置を後面部から遠ざかるように後方に変位させながら、後側面折込片における左右側面部からの立ち上がり幅Ｗ１と後面部からの立ち上がり幅Ｗ２、そして上部折込片における後側面折込片からの立ち上がり幅Ｗ３のいずれもが、後面部との境界線から開口部最下縁までの距離Ｄと同じかそれ以上の幅広になるよう形成した。
【００１１】
耐水性ブランクシートは、少なくとも組み立て時の内面において耐水化剤やスチレン及びスチレン誘導体、ブタジエン及びブタジエン誘導体、アクリル酸、メタクリル酸、アクリル酸エステル（アクリル酸メチル、アクリル酸エチル、アクリル酸ブチル、アクリル酸2−エチルヘキシル等）、メタクリル酸エステル（メタクリル酸メチル、メタクリル酸エチル、メタクリル酸ブチル等）等を共重合した樹脂等の耐水塗料を塗布したり、各種の耐水フィルム材をラミネートしたもの、あるいは基紙にワックス系、合成樹脂系、アクリル系、パラフィン系、フッソ系、シリコーン系の撥水剤やエポキシ樹脂、両性ポリアクリルアミド系紙力剤、ポリアミドエピクロロヒドリン系紙力剤を内添した耐水紙等を用いることができる。また、単紙や２枚以上の紙を貼り合わせた合紙加工又は段ボールに貼り合せたシートも耐水性ブランクシートとして用いることができる。組み立て作業の容易化を図るべく、各折曲線部分は、折り癖をつけたり凹陥加工を施しておくとよい。組み立て完成後の箱のサイズは外箱の内寸に応じて設定すればよいが、場合によっては箱の輪郭に沿って方形の窓を切り抜いたスペーサーを用いて、該スペーサーの外形を外箱内寸に対応させることにしてもよい。
【００１２】
天面部に穿設される開口部には集束された切り花の根元が挿入されることになるため、完全な切り落とし開口部とするよりも、周縁部分に直径方向の切り込みを入れて複数の舌片を形成した開口部とすることにより、これら舌片の存在によって切り花の根元が弾性支持されることが期待できる。こうした開口部の穿設位置を後面部から遠ざかるように後方に変位させるのは、後面部を接地させた横倒し時において地上面から開口部最下縁までの高さを確保するためであるが、箱内の水量によってその高さ、すなわち開口部の穿設位置を決定すればよい。
【００１３】
前記切り花輸送用紙製保水箱における天面部には、さらに後方に前面被せ片を延設するとともに左右側面被せ片を横出し延設して、各被せ片内に係止片を切開形成する一方、これら係止片に対応するように、前面部上方と、左右側面部上方においてそれぞれ係止スリットを刻設することができる。
【００１４】
本発明に係る切り花輸送用紙製保水箱の組み立て状態を保持するには、ステープラーや粘着テープ等の物理的固着手段を用いることも可能であるが、係止片を係止スリットに嵌挿係合させることによって、組み立て解体の容易化が図られる。ブランクシート状態への自然復帰を確実に防止して組み立て状態を保持させるべく、各係止片は天面部方向に凸となるように切開形成されることになるが、これら係止片の大きさや長さはブランクシートの厚みや弾性等に応じて設定される。
【００１５】
作業者によっては平坦なブランクシートから箱を組み立てるのは必ずしも容易ではないこともあるので、本発明に係る切り花輸送用紙製保水箱では、一連の組み立て作業において最も折り方向が複雑となる部分を事前加工しておくことができる。すなわち、左右側面部と後側面折込片間の折曲線を途中から反転させて天面部側を山折りとし、該山折りとした折曲線を介して、左右側面部の上隅部と後側面折込片の上隅部を予め貼着しておくことにより、谷折りとした底面部と後面部間の折曲線によって全体が二つ折りされた状態で提供することができる。
【００１６】
なお、組み立て時に折曲線部分の耐水面が割れることを防止するべく、各折曲線部分には防水剤や防湿剤を厚塗しておくことができる。厚塗り方法としては、該当部分に印刷塗布するのが好適である。
【発明の効果】
【００１７】
本発明に係る切り花輸送用紙製保水箱は、１枚の耐水性ブランクシートのみから組み立てることができ、外箱内に収容し切り花を包装した状態で外箱ごと横倒しても、水面が開口部を越えないように箱内の水量を調節しておくことで、水漏れを防止することができる。とくに、開口部が前面部寄りに変位しているために後面部を接地させた横倒し状態においては地上面から開口部最下縁までの高さが確保されていることに加えて、この高さ以上に折込片の立ち上がり幅を確保したので、横倒し時において折込片の隙間部分から漏水することも防止できる。
【００１８】
また、係止片を係止スリットに嵌挿係合させるだけで組み立て状態を保持することができるので、箱形状を保持するための別部材を全く必要としないし、係合状態を解除するだけで簡単に解体し、平坦なブランクシート状態に戻すことができる。
【００１９】
そして、一連の組み立て作業において最も折り方向が複雑になる部分を事前加工しておけば、二つ折り状態にあるシートを展開しながらほとんどの折曲線を谷折りしていくことで簡単に組み立てることができるし、折曲線部分に防水剤を厚塗しておくことで、割れ等を気にすることなく折り曲げ作業を行える利点もある。
【発明を実施するための最良の形態】
【００２０】
以下、本発明につき、図面にもとづいて詳細に説明する。図１は本発明に係る切り花輸送用紙製保水箱（以下、「保水箱」と略すことがある。）の一例を示した内側部分の展開図であり、図２は同保水箱の組み立て完成状態を示した斜視図である。図示されるように、本例の保水箱は耐水性を備えた１枚のブランクシートを打ち抜き形成したものであり、破線で示される山折りの折曲線と、一点鎖線で示される谷折りの折曲線によって予め区画されている。
【００２１】
本例の保水箱では、底面部１を中心として四方に連接するように、前方に前面部２、後方に後面部３、左方に左側面部４、右方に右側面部５が、それぞれ谷折りの折曲線を介して設けられている。図２に示されるように、組み立て完成時の保水箱は概略正六角形状になることから、これら底面部１等の各外面は、例えば１辺が２０cm程度の谷折りの折曲線等によって正方形に区画されている。もちろん、底面部１等の寸法は、本発明に係る保水箱が収容される外箱の内寸に応じて決定すればよい。
【００２２】
後面部３よりさらに後方には、開口部61を備えた天面部６が谷折りの折曲線を介して連接している。本例の開口部61は、切り抜いた中心孔62の周縁部分に直径方向の切り込みを入れることによって形成された複数の舌片63を備えており、これら舌片63の外縁部分が開口部61の最外縁となるところ、開口部61の穿設位置が後面部３から遠ざかるように、具体的には後面部３の上縁でありかつ天面部６との境界線となる折曲線から開口部61の最下縁までの距離Ｄが大となるように、後方に変位して穿設されている。
【００２３】
底面部１のみを接地させた状態で、境界線となっている各折曲線で曲げながら前後左右側面部２,３,４,５を順に折り起こしていくとき、前記後面部３と左側面部４との間に相当する部分、そして前記後面部３と右側面部５との間に相当する部分には、それぞれが谷折りとされる折曲線を介してＬ字形状をした後側面折込片７,７が連接されている。各後側面折込片７,７は山折りとした折曲線を介して対称な台形状をなしているが、後面部３のみに連接している側の後側面折込片７c，７cからさらに後方において上部折込片８,８が延設されている。これら各上部折込片８,８は天面部６とも連接しており、各々が対角線を山折りの折曲線として対称な二等辺三角形８a,８bに区画されている。
【００２４】
一方、後側面折込片７,７が左右側面部４,５と連接する部分は、さらなる折曲線によって複雑に区画されている。すなわち、左側を例にして説明すると、後ろ側面折込片７と左側面部４を区画している谷折りの折曲線を中間位置Ｐ点で反転させ、該Ｐ点より外方を山折りの折曲線としたうえで、Ｐ点を頂点としつつ後側面折込片７と左側面部４に至る三角形の二辺をいずれも谷折りの折曲線とすることによって、左側面部４を上隅部分（４b）と変形五角形状の本体部分（４a）に区画する一方、後側面折込片７についても上隅部分７aほか３つの部分に区画している（７b,７c）。同様に右側についても、右側面部５が上隅部分（５b）と変形五角形状の本体部分（５a）に区画される一方、後側面折込片７が上隅部分７aほか３つの部分に区画されることになる（７b,７c）。
【００２５】
なお、本例の保水箱では前側面折込片９も連接されている。すなわち、前面部２と左側面部４との間、そして前面部２と右側面部５との間をそれぞれ連結するように、先の後側面折込片７,７と同様な形状をした前側面折込片９,９が連接されており、各々山折りとした折曲線を介して対称な台形状に区画されている（９a,９b）。また、前面部２の上端縁には細幅な折返片12が連接されている。
【００２６】
そして、本例の保水箱では、天面部６のさらに後方において長方形をした前面被せ片10が延設されるとともに、天面部６の左右からも、同じく長方形をした左右側面被せ片11,11が横だし延設されている。これら各被せ片10,11,11内には、いずれもＵ字形の切り込みが刻設されており、切り込みの内側が係止片110,111となっている。一方、前面被せ片10における係止片110に対応するように、前面部２には逆Ｔ字形をした係止スリット21が刻設され、また左右側面被せ片11,11に対応するように、左右側面部４,５においても横向きＴ字形をした係止スリット41,51が刻設されている。
【００２７】
以上のように構成された保水箱を組み立てるには、まず、底面部１を接地させた状態で周囲の折曲線を谷折りとしながら前後左右側面部２,３,４,５を垂直位置まで引き起こす。この際、前側面折込片９と後側面折込片７の各々を区画している折曲線を山折りとしながら、それぞれ保水箱内に向けて折り込むようにするが、とくに左右側面部４，５の上隅部分（４b,５b）と後側面折込片７,７の上隅部分（７a,７b）は、Ｐ点を起点としてさらに内側へと折り込まれることになる。次いで、各上部折込片８,８における対角線を山折りとして箱内に折り込みつつ、後面部３に連接している天面部６を前面部２側に倒しながら蓋をし、前面被せ片10の係止片110を前面部１における係止スリット21に嵌挿するとともに、左右側面被せ片11,11の係止片111,111を左右側面部４,５における係止スリット41,51に嵌挿することによって、図２に示される保水箱が完成する。
【００２８】
図３は、組立完成した保水箱を、後面部３が接地するように横倒し状態とした縦断面図である。図示されるように、後面部３と天面部６の境界線から天面部６に穿設された開口部61の最下縁までの距離Ｄが大きくなるよう開口部61が前面部２側寄りに変位して穿設されていることから、保水箱内に注入された水量を調整して前記距離Ｄ以下の水位（振動による波打ち現象を考慮すると、望ましくは距離Ｄの１／３程度の水位）に抑制しておけば、輸送・保管時間内の給水量としては十分な水量を保水箱内に確保しつつ、所定方向の横倒しに対しては、開口部61から水が溢れることを防止できることになる。
【００２９】
このとき、後側面折込片７,７と上部折込片８,８の存在によって、折り畳んだ紙片同士の隙間からも漏水防止が図られる。すなわち、図１において、例えば左側面部４から後側面折込片７c,の立ち上がり幅Ｗ１と、後面部３から後側面折込片７eの立ち上がり幅Ｗ２、そして上部折込片８における後側面折込片7eからの立ち上がり幅Ｗ３のいずれについても前記距離Ｄと同じかそれ以上の幅広に形成しておくことで、保水箱として組立完成した図３に示されるように、距離Ｄ以下の水位にとどまるように抑制された水は、必ずこれら立ち上がり幅Ｗ１,Ｗ２,Ｗ３を越えて溢れることがない。加えて、図１における左側面部４の本体部分（４a）を始めとして順番に、同上隅部分（４b）から後側面折込片７の上隅部分（７a）、同中間部分（７b）、同上端部分（７c）からさらに上部折込片の下側部分（８a）、同上側部分（８b）へと九十九折り的に折り込まれた部分は帯状に途切れなく連続しているので、前記立ち上がり幅Ｗ１,Ｗ２,Ｗ３より低い位置においては、すべて保水箱の内面のみが連続した状態にあって、保水箱内の水が外部に漏出ることがないのである。
【００３０】
図４は、全体が二つ折りされた状態で提供される本発明に係る切り花輸送用紙製保水箱の他の例を示した外側部分の展開図である。保水箱の組み立て容易化を図るべく、一連の組み立て作業において最も折り方向が複雑となる左右側面部４,５の上隅部分（4b,５b）と後側面折込片７,７の上隅部分（7a,７a）を内側に折り込み、両部分における外面同士を予め貼着しておくことで、谷折りとした底面部１と後面部３間の折曲線によって全体が二つ折り状態となる。組み立て時には、前面部２の上端部分と天面部６の上端部分を離隔するように開くと、左右側面部４,５が自然に起立するので、折り曲げ手順がイメージし易くなるのである。
【００３１】
なお、組み立て作業時等において折曲線部分が傷んで漏水することを防止するべく各折曲線に対して厚塗りされる防水又は防湿剤としては、一方社油脂工業（株）製の「ＯＰ６０７」（製品名）やサカタインクス（株）製の「プライトーン３０７５」「プライトーン３０６２」（いずれも製品名）などが例示される。
【図面の簡単な説明】
【００３２】
【図１】本発明に係る切り花輸送用紙製保水箱の一例を示した内側部分の展開図である。
【図２】図１の保水箱の組み立て完成状態を示した斜視図である。
【図３】組立完成した保水箱を、後面部が接地するように横倒し状態とした縦断面図である。
【図４】全体が二つ折りされた状態で提供される本発明に係る切り花輸送用紙製保水箱の他の例を示した外側部分の展開図である。
【符号の説明】
【００３３】
１    底面部
２    前面部
３    後面部
４    左側面部
５    右側面部
６    天面部
７    後側面折込片
８    上部折込片
９    前側面折込片
１０    前面被せ片
１１    側面被せ片
１２    折返片
２１、４１，５１    係止スリット
６１    開口部
６２    中心孔
６３    舌片
１１０、１１１    係止片
【図１】
2008037435.tif 000003
【図２】
2008037435.tif 000004
【図３】
2008037435.tif 000005
【図４】
2008037435.tif 000006